(57)【要約】      （修正有）【課題】障害発生のときにプロテクションによる障害区間を迂回する際、中継ノードにおいてシグナリング等の高機能処理を行わずにマルチキャストパスの迂回経路を設定する。【解決手段】Egressノードは、Ingressノードからマルチキャスト転送されたＣＣパケットの不達を検知したときにIngressノードに障害通知を送信し、Ingressノードは障害通知の送信元のEgressノードを配信先登録テーブルの現用系配信先Egressノードから削除し、かつ予備系配信先Egressノードとして登録し、現用系ラベルと予備系ラベルの付け替えを同時に行い、中継ノードは、ラベルと配信先ＩＦを対応付けたマルチキャスト転送テーブルを参照し、Ingressノードから送信されたマルチキャストパケットの現用系ラベルおよび予備系ラベルに応じた配信先ＩＦにマルチキャスト転送する手段を備える。【選択図】図１
2014007568.tif 000002
【特許請求の範囲】
【請求項１】
Ingressノードから送信されるマルチキャストパケットを中継ノードを介して複数のEgressノードにマルチキャスト転送するマルチキャスト転送システムにおいて、
前記Egressノードは、前記 Ingressノードからマルチキャスト転送された接続性確認パケットの不達を検知したときに、前記 Ingressノードに障害通知を送信する手段を備え、
前記 Ingressノードは、前記Egressノードから障害通知を受信し、当該障害通知の送信元のEgressノードを配信先登録テーブルの現用系配信先Egressノードから削除し、かつ予備系配信先Egressノードとして登録し、現用系配信先Egressノードの組み合わせおよび予備系配信先Egressノードの組み合わせにそれぞれ対応する現用系ラベルと予備系ラベルの付け替えを同時に行う手段を備え、
前記中継ノードは、ラベルと配信先ＩＦを対応付けたマルチキャスト転送テーブルを参照し、前記 Ingressノードから送信された前記マルチキャストパケットの現用系ラベルおよび予備系ラベルに応じた配信先ＩＦにマルチキャスト転送する手段を備えた
ことを特徴とするマルチキャスト転送システム。
【請求項２】
請求項１に記載のマルチキャスト転送システムにおいて、
前記 Ingressノードは、前記配信先登録テーブルに登録される現用系配信先Egressノードと予備系配信先Egressノードを排他的に管理する
ことを特徴とするマルチキャスト転送システム。
【請求項３】
請求項１に記載のマルチキャスト転送システムにおいて、
前記 Ingressノードは、配信先として全Egressノードを含む各マルチキャストパスに接続性確認パケットを送信し、その接続性確認パケットの不達を検知したEgressノードから障害通知を受信し、当該障害通知の送信元のEgressノードを識別する
ことを特徴とするマルチキャスト転送システム。
【請求項４】
請求項１に記載のマルチキャスト転送システムにおいて、
前記 Ingressノードは、配信先として全マルチキャストパスのそれぞれに接続性確認パケットを送信し、その接続性確認パケットの不達を検知したEgressノードからマルチキャストパスを含む障害通知を受信し、当該障害通知の送信元のEgressノードおよびマルチキャストパスを識別する
ことを特徴とするマルチキャスト転送システム。
【請求項５】
Ingressノードから送信されるマルチキャストパケットを中継ノードを介して複数のEgressノードにマルチキャスト転送するマルチキャスト転送システムのマルチキャスト経路切替方法において、
前記Egressノードは、前記 Ingressノードからマルチキャスト転送された接続性確認パケットの不達を検知したときに、前記 Ingressノードに障害通知を送信し、
前記 Ingressノードは、前記Egressノードから障害通知を受信し、当該障害通知の送信元のEgressノードを配信先登録テーブルの現用系配信先Egressノードから削除し、かつ予備系配信先Egressノードとして登録し、現用系配信先Egressノードの組み合わせおよび予備系配信先Egressノードの組み合わせにそれぞれ対応する現用系ラベルと予備系ラベルの付け替えを同時に行い、
前記中継ノードは、ラベルと配信先ＩＦを対応付けたマルチキャスト転送テーブルを参照し、前記 Ingressノードから送信された前記マルチキャストパケットの現用系ラベルおよび予備系ラベルに応じた配信先ＩＦにマルチキャスト転送する
ことを特徴とするマルチキャスト経路切替方法。
【請求項６】
請求項５に記載のマルチキャスト経路切替方法において、
前記 Ingressノードは、前記配信先登録テーブルに登録される現用系配信先Egressノードと予備系配信先Egressノードを排他的に管理する
ことを特徴とするマルチキャスト経路切替方法。
【請求項７】
請求項５に記載のマルチキャスト経路切替方法において、
前記 Ingressノードは、配信先として全Egressノードを含む各マルチキャストパスに接続性確認パケットを送信し、その接続性確認パケットの不達を検知したEgressノードから障害通知を受信し、当該障害通知の送信元のEgressノードを識別する
ことを特徴とするマルチキャスト経路切替方法。
【請求項８】
請求項５に記載のマルチキャスト経路切替方法において、
前記 Ingressノードは、配信先として全マルチキャストパスのそれぞれに接続性確認パケットを送信し、その接続性確認パケットの不達を検知したEgressノードからマルチキャストパスを含む障害通知を受信し、当該障害通知の送信元のEgressノードおよびマルチキャストパスを識別する
ことを特徴とするマルチキャスト経路切替方法。
【発明の詳細な説明】
【技術分野】
【０００１】
本発明は、ネットワークを介して映像等のデータをマルチキャスト転送するマルチキャスト転送システムおいて、中継ノードまたは中継リンク障害のプロテクションに係るマルチキャスト転送システムおよびマルチキャスト経路切替方法に関する。
【背景技術】
【０００２】
図５は、従来のマルチキャスト転送システムの構成例を示す。
図５において、ここに示すマルチキャスト転送システムは、１つの IngressノードＩＮから２つの中継ノードＲＮ１，ＲＮ２を介して４つのEgressノードＥＮ１〜ＥＮ４が接続されるツリー構成である。EgressノードＥＮ１〜ＥＮ２は中継ノードＲＮ１に接続され、EgressノードＥＮ３〜ＥＮ４は中継ノードＲＮ２に接続される。さらに、障害発生のときにプロテクションによる障害区間の迂回を行うための予備系の IngressノードＩＮ’、中継ノードＲＮ１’，ＲＮ２’、EgressノードＥＮ１’〜ＥＮ４’が設けられる。
【０００３】
IngressノードＩＮおよび中継ノードＲＮ１，ＲＮ２は、それぞれ視聴要求のあった配信先に対してのみ転送するマルチキャスト転送テーブルを備える。例えば、ＥＮ１，ＥＮ２，ＥＮ３，ＥＮ４がチャネル＃１の視聴要求を送信した場合には、ＲＮ１のマルチキャスト転送テーブルのチャネル＃１には配信先ＩＦとしてＥＮ１，ＥＮ２が設定され、ＲＮ２のマルチキャスト転送テーブルのチャネル＃１には配信先ＩＦとしてＥＮ３，ＥＮ４が設定される。そして、ＩＮのマルチキャスト転送テーブルのチャネル＃１には、配信先ＩＦとしてＲＮ１，ＲＮ２が設定される。
【０００４】
近年、プロテクションによる高信頼、高品質な通信を実現可能なＭＰＬＳ−ＴＥ（Multiprotocol Label Switching - Traffic Engineering)技術が注目を集めており、マルチキャスト配信においても当該技術の適用が実現している。このＭＰＬＳ−ＴＥ技術を用いたネットワークにおけるプロテクション方法としては、ＦＲＲ（Fast Reroute）方式と、パスプロテクション方式がある。ＦＲＲ方式は、全リンクまたはノードに迂回ＬＳＰを設定することにより障害箇所のできるだけ近傍で迂回する（非特許文献１）。一方、パスプロテクション方式は、End-to-endで迂回パスを設定し、障害通知を受けた IngressノードＩＮが迂回パスに切り替える。
【０００５】
このパスプロテクション方式の１つとして、図６に示すように、Ｓｕｂ−ＬＳＰごとにシグナリングを行い、障害時にシグナリングエラーを検出することにより、障害のあったＳｕｂ−ＬＳＰのみを迂回パスに切り替える方式が提案されている（特許文献１）。
【先行技術文献】
【特許文献】
【０００６】
【特許文献１】特開２００８−２０６０５０号公報
【非特許文献】
【０００７】
【非特許文献１】RFC4090 Fast Reroute Extensions to RSVP-TE for LSP Tunnels
【発明の概要】
【発明が解決しようとする課題】
【０００８】
ＦＲＲ方式は、マルチキャストパスの全経路を保護するためには、全中継リンクまたは中継ノードに対して迂回パスを設定し、シグナリングやＯＡＭによる監視と障害に応じたセグメントプロテクションが必要となるため、中継ノードにおける処理負荷が高くなる。
【０００９】
一方で、パスプロテクション方式ではEnd-to-endで迂回パスを設定するため、切り替え処理を行うのは Ingressノードにおける送信端切り替えのみで良いが、マルチキャストパスを切り替えてしまうことにより障害の影響のない経路まで切り替えによる瞬断が発生するという課題がある。
【００１０】
この課題に対し、特許文献１で提案された方式では、ＲＳＶＰ−ＴＥのシグナリングにおける PathErr等を中継ノードにおいて検出して Ingressノードへ通知、 Ingressノードで障害の影響のあったＳｕｂ−ＬＳＰのみを迂回ＬＳＰに切り替えることで障害の影響のないノードでの瞬断を排除している。しかし、特許文献１で提案されている手法ではＲＳＶＰ−ＴＥが動作するＭＰＬＳ装置で構成されたネットワークを前提としており、シグナリングにおける PathErr等のメッセージを中継ノードにおいて検出する。このため、中継ノードにおいてシグナリング等の高機能処理が必要であった。
【００１１】
本発明は、障害発生のときにプロテクションによる障害区間を迂回する際に、中継ノードにおいてシグナリング等の高機能処理を行わずに、マルチキャストパスの迂回経路を設定することができるマルチキャスト転送システムおよびマルチキャスト経路切替方法を提供することを目的とする。
【課題を解決するための手段】
【００１２】
第１の発明は、 Ingressノードから送信されるマルチキャストパケットを中継ノードを介して複数のEgressノードにマルチキャスト転送するマルチキャスト転送システムにおいて、Egressノードは、 Ingressノードからマルチキャスト転送された接続性確認パケットの不達を検知したときに、 Ingressノードに障害通知を送信する手段を備え、 Ingressノードは、Egressノードから障害通知を受信し、当該障害通知の送信元のEgressノードを配信先登録テーブルの現用系配信先Egressノードから削除し、かつ予備系配信先Egressノードとして登録し、現用系配信先Egressノードの組み合わせおよび予備系配信先Egressノードの組み合わせにそれぞれ対応する現用系ラベルと予備系ラベルの付け替えを同時に行う手段を備え、中継ノードは、ラベルと配信先ＩＦを対応付けたマルチキャスト転送テーブルを参照し、 Ingressノードから送信されたマルチキャストパケットの現用系ラベルおよび予備系ラベルに応じた配信先ＩＦにマルチキャスト転送する手段を備える。
【００１３】
第１の発明のマルチキャスト転送システムにおいて、 Ingressノードは、配信先登録テーブルに登録される現用系配信先Egressノードと予備系配信先Egressノードを排他的に管理する。
【００１４】
第１の発明のマルチキャスト転送システムにおいて、 Ingressノードは、配信先として全Egressノードを含む各マルチキャストパスに接続性確認パケットを送信し、その接続性確認パケットの不達を検知したEgressノードから障害通知を受信し、当該障害通知の送信元のEgressノードを識別する。
【００１５】
第１の発明のマルチキャスト転送システムにおいて、 Ingressノードは、配信先として全マルチキャストパスのそれぞれに接続性確認パケットを送信し、その接続性確認パケットの不達を検知したEgressノードからマルチキャストパスを含む障害通知を受信し、当該障害通知の送信元のEgressノードおよびマルチキャストパスを識別する。
【００１６】
第２の発明は、 Ingressノードから送信されるマルチキャストパケットを中継ノードを介して複数のEgressノードにマルチキャスト転送するマルチキャスト転送システムのマルチキャスト経路切替方法において、Egressノードは、 Ingressノードからマルチキャスト転送された接続性確認パケットの不達を検知したときに、 Ingressノードに障害通知を送信し、 Ingressノードは、Egressノードから障害通知を受信し、当該障害通知の送信元のEgressノードを配信先登録テーブルの現用系配信先Egressノードから削除し、かつ予備系配信先Egressノードとして登録し、現用系配信先Egressノードの組み合わせおよび予備系配信先Egressノードの組み合わせにそれぞれ対応する現用系ラベルと予備系ラベルの付け替えを同時に行い、中継ノードは、ラベルと配信先ＩＦを対応付けたマルチキャスト転送テーブルを参照し、 Ingressノードから送信されたマルチキャストパケットの現用系ラベルおよび予備系ラベルに応じた配信先ＩＦにマルチキャスト転送する。
【００１７】
第２の発明のマルチキャスト経路切替方法において、 Ingressノードは、配信先登録テーブルに登録される現用系配信先Egressノードと予備系配信先Egressノードを排他的に管理する。
【００１８】
第２の発明のマルチキャスト経路切替方法において、 Ingressノードは、配信先として全Egressノードを含む各マルチキャストパスに接続性確認パケットを送信し、その接続性確認パケットの不達を検知したEgressノードから障害通知を受信し、当該障害通知の送信元のEgressノードを識別する。
【００１９】
第２の発明のマルチキャスト経路切替方法において、 Ingressノードは、配信先として全マルチキャストパスのそれぞれに接続性確認パケットを送信し、その接続性確認パケットの不達を検知したEgressノードからマルチキャストパスを含む障害通知を受信し、当該障害通知の送信元のEgressノードおよびマルチキャストパスを識別する。
【発明の効果】
【００２０】
本発明は、Egressノードで Ingressノードからマルチキャスト転送された接続性確認パケットの不達を検知したときに、 Ingressノードに障害通知を送信し、 Ingressノードで障害通知を送信したEgressノードを識別して現用系配信先から削除し、予備系配信先に加え、マルチキャストパケットの現用系ラベルおよび予備系ラベルを書き換えることにより、中継ノードではシグナリング等の高機能処理を必要せずに、障害の影響のある経路についてマルチキャストパスの迂回経路を設定することができる。
【００２１】
また、接続性確認パケットをマルチキャストパスに従いコピー転送しEgressノードにおいて障害検知するため、セグメントプロテクションと異なり、１中継ノードに接続されるEgressノード数が増加しても、送受信を行う接続性確認パケット数の増加を防ぐことができる。
【図面の簡単な説明】
【００２２】
【図１】本発明のマルチキャスト転送システムの実施例を示す図である。
【図２】ＣＣ共通方式による障害検出・通知の動作例を示す図である。
【図３】ＣＣ共通方式における Ingressノードの障害切替処理手順例を示すフローチャートである。
【図４】ＣＣ個別方式による障害検出・通知の動作例を示す図である。
【図５】従来のマルチキャスト転送システムの構成例を示す図である。
【図６】従来のマルチキャスト転送システムのシグナリング処理例を説明する図である。
【発明を実施するための形態】
【００２３】
図１は、本発明のマルチキャスト転送システムの実施例を示す。
図１において、本実施例のマルチキャスト転送システムは、１つの IngressノードＩＮから２つの中継ノードＲＮ１，ＲＮ２を介して４つのEgressノードＥＮ１〜ＥＮ４が接続されるツリー構成である。EgressノードＥＮ１〜ＥＮ２は中継ノードＲＮ１に接続され、EgressノードＥＮ３〜ＥＮ４は中継ノードＲＮ２に接続される。さらに、障害発生のときにプロテクションによる障害区間の迂回を行うための予備系の IngressノードＩＮ’、中継ノードＲＮ１’，ＲＮ２’、EgressノードＥＮ１’〜ＥＮ４’が設けられる。
【００２４】
IngressノードＩＮ，ＩＮ’は、共通の配信先登録テーブル１１、配信先ラベル決定テーブル１２、マルチキャスト転送テーブル１３を備える。中継ノードＲＮ１，ＲＮ’は共通のマルチキャスト転送テーブル１４を備え、中継ノードＲＮ２，ＲＮ２’は共通のマルチキャスト転送テーブル１５を備える。
【００２５】
配信先登録テーブル１１には、チャネルごとに、現用系配信先Egressノードの組み合わせに応じた現用系ラベル、予備系配信先Egressノードの組み合わせに応じた予備系ラベルが登録され、障害発生に合せて書き換えが行われる。ここでは、チャネル＃１において、中継ノードＲＮ１とEgressノードＥＮ１との間に障害が発生して迂回経路に切り替えるときに、現用系配信先Egressノードが（ＥＮ１，ＥＮ２，ＥＮ３，ＥＮ４）から（ＥＮ２，ＥＮ３，ＥＮ４）に書き換えられ、予備系配信先EgressノードがＥＮ１に書き換えられる例を示す。書き換え手順の詳細は後述する。
【００２６】
配信先ラベル決定テーブル１２には、配信先Egressノードの全組み合わせに応じたラベルが現用系および予備系共通に事前設定される。例えば、配信先EgressノードＥＮ１，ＥＮ２，ＥＮ３，ＥＮ４に対してラベルＬ15が設定され、配信先EgressノードＥＮ２，ＥＮ３，ＥＮ４に対してラベルＬ６が設定される。
【００２７】
マルチキャスト転送テーブル１３，１４，１５には、ラベルに応じた配信先ＩＦが現用系および予備系共通に事前設定される。例えばラベルＬ15は、中継ノードＲＮ１，ＲＮ２に接続されるEgressノードＥＮ１〜ＥＮ４に対応するので、ＩＮのマルチキャスト転送テーブル１３にはＬ15／ＲＮ１，ＲＮ２として設定され、ＲＮ１のマルチキャスト転送テーブル１４にはＬ15／ＥＮ１，ＥＮ２として設定され、ＲＮ２のマルチキャスト転送テーブル１５にはＬ15／ＥＮ３，ＥＮ４として設定される。
【００２８】
以下、図１の構成に基づいて、中継ノードＲＮ１とEgressノードＥＮ１との間に障害が発生して迂回経路に切り替えるときの IngressノードＩＮおよび中継ノードＲＮ１の動作概要について説明する。
【００２９】
IngressノードＩＮは、接続性確認パケット（ＣＣパケット）を送信し、中継ノードＲＮ１，ＲＮ２はＣＣパケットの監視などを行わずにマルチキャストパケットと同様に、マルチキャスト転送テーブル１４，１５に従ってコピー転送し、各EgressノードＥＮ１，ＥＮ２，ＥＮ３，ＥＮ４はそれぞれＣＣパケットの受信、接続性確認を行う。
【００３０】
障害発生時には、EgressノードにおいてＣＣパケットが不達となることにより障害を検出する。障害を検出したEgressノードＥＮ１は、 IngressノードＩＮに対しユニキャストパスを介して障害を通知する。 IngressノードＩＮでは、障害通知の送信元のEgressノードＥＮ１を識別し、マルチキャストパケットに付与する現用系ラベルおよび予備系ラベルを付けかえることにより、現用系マルチキャストパスのうち障害の影響のあったEgressノードＥＮ１のみを予備系に切り替える。すなわち、図１の IngressノードＩＮの配信先登録テーブル１１に示すように、現用系配信先Egressノードと現用系ラベルの組み合わせを（ＥＮ１，ＥＮ２，ＥＮ３，ＥＮ４／Ｌ15）から（ＥＮ２，ＥＮ３，ＥＮ４／Ｌ６）に書き換え、予備系配信先Egressノードと予備系ラベルの組み合わせを（なし／なし）から（ＥＮ１／Ｌ１）に書き換える。
【００３１】
このように、本発明のマルチキャスト転送システムでは、中継ノードにおけるシグナリングなどの高機能処理を行うことなく、EgressノードにおけるＣＣパケットの不達による障害検出に応じて、障害の影響のあった経路のみを Ingressノードにおける送信端切り替え（パスプロテクション) により迂回することが可能となる。
【００３２】
また、現用系配信先Egressノードと予備系配信先Egressノードを排他的に管理して現用系ラベルおよび予備系ラベルを設定することで、マルチキャスト配信を行うチャネルが複数あり、それぞれ配信先が異なる際にも全Egressノードに対する配信先ラベル決定テーブルを共用することを可能となる。また、ラベル数の削減およびテーブルサイズの縮小が可能となる。
【００３３】
ここで、配信先として全Egressノードを含む各マルチキャストパスにＣＣパケットを送信し、各マルチキャストパスに対してＣＣパケットを共通とするＣＣ共通方式と、設定された全マルチキャストパスそれぞれにＣＣパケットを送信し、全マルチキャストパスに対するＣＣパケットを個別化するＣＣ個別方式に分けて説明する。
【００３４】
（ＣＣ共通方式）
図２は、ＣＣ共通方式による障害検出・通知の動作例を示す。図３は、ＣＣ共通方式における Ingressノードの障害切替処理手順例を示す。
【００３５】
図２において、 IngressノードＩＮは、配信先として全Egressノードを含むマルチキャストパスにＣＣパケットを送信する。ここでは、配信先として全EgressノードＥＮ１〜ＥＮ４を含む各マルチキャストパスにＣＣパケットを送信する。EgressノードＥＮ１では、ＣＣパケットの不達により障害を検知すると、ユニキャストパスを介して障害を通知する。このとき、ＣＣパケットは全Egressノードを含む各マルチキャストパスで共通なため、どのマルチキャストパスに対して障害が発生したかについては切り分けができない。ただし、一部のEgressノードを配信先とするマルチキャストパスにはＣＣパケットを送信しないので、システム全体ではＣＣパケット数を削減することができる。
【００３６】
図３において、ＣＣパケットの不達により障害を検知したEgressノードが障害通知を送信すると、Ingress ノードＩＮは当該障害通知を受信し（Ｓ０）、当該障害通知を送信したEgressノードを識別し（Ｓ１）、配信先登録テーブル（図１の１１）の現用系配信先Egressノードとして障害通知送信元のEgressノードが登録されているチャネルを検索する（Ｓ２）。図１の例では、現用系配信先EgressノードとしてEgressノードＥＮ１を含むチャネル＃１が検索される。次に、当該チャネルの障害通知送信元のEgressノード（ＥＮ１）を現用系配信先Egressノードから削除し、同時に予備系配信先Egressノードとして追加する（Ｓ３）。
【００３７】
次に、現用系配信先Egressノードおよび予備系配信先Egressノードが変更されたチャネルについて、配信先ラベル決定テーブル（図１の１２）を参照し、それぞれ配信先Egressノードの組み合わせに対応するラベル（Ｌ６，Ｌ１）を選択し、配信先登録テーブル（図１の１１）の現用系ラベルおよび予備系ラベルを書き換える（Ｓ４）。図１の例では、現用系ラベルはＬ１５からＬ６に、予備系ラベルはなしからＬ１に書き換えられる。そして、Ingress ノードから現用系に転送するマルチキャストパケットには書き換えた現用系ラベル（Ｌ６）を、予備系に転送するマルチキャストパケットには書き換えた予備系ラベル（Ｌ１）を付与する（Ｓ５）。これにより、マルチキャストパケットは、マルチキャスト転送テーブル（図１の１３，１４，１５）に従って、現用系ラベルおよび予備系ラベルに応じた配信先にそれぞれコピー・転送される。
【００３８】
以上により、中継ノードにおいてシグナリングなどの高機能処理を行うことなく、ラベルの切り替えにより、現用系における障害の影響のあったEgressノードのみを予備系に切り替えることが可能となる。
【００３９】
（ＣＣ個別方式）
図４は、ＣＣ個別方式による障害検出・通知の動作例を示す。
ＣＣ個別方式では、全マルチキャストパスそれぞれにＣＣパケットを個別送信するので、ＣＣパケットの不達により障害を検知したEgressノードは、障害通知とともに障害が発生したマルチキャストパスの情報を Ingressノードに送信することができる。
【００４０】
図４(1) において、Ingress ノードＩＮは、障害のあったマルチキャストパスの現用系ラベル（Ｌ15）と障害通知を送信したEgressノード（ＥＮ１）とを識別する。そして、識別した現用系ラベル（Ｌ15）が設定されているチャネルの現用系配信先Egressノードから障害通知のEgressノード（ＥＮ１）を削除し、また予備系配信先Egressノードに追加する。すなわち、図３に示すＣＣ共通方式の手順におけるステップＳ２の処理が省略でき、ステップＳ３以降の処理は同じである。
【００４１】
図４(2) の例では、Ingress ノードＩＮは、障害のあったマルチキャストパスの現用系ラベル（Ｌ５）と障害通知を送信したEgressノード（ＥＮ２）とを識別する。以下同様である。
【００４２】
このように、ＣＣ個別方式では、マルチキャストパスに対するＣＣパケットをそれぞれ個別に設定するため、どのマルチキャストパスにおける故障かを切り分け、 Ingressノードにおいて対応するマルチキャストパスを利用したチャネルのみ切り換えることが可能となる。これにより、複数のマルチキャストパスが同一区間を経由していた際、マルチキャスト転送テーブルの設定誤り等により、特定のマルチキャストパスのみ故障となった際に、正常なマルチキャストパスまで瞬断切り替えが発生してしまうことを防ぐことができる。
【符号の説明】
【００４３】
ＩＮ  Ingress ノード
ＲＮ  中継ノード
ＥＮ  Egressノード
１１  配信先登録テーブル
１２  配信先ラベル決定テーブル
１３，１４，１５  マルチキャスト転送テーブル
【図１】
2014007568.tif 000003
【図２】
2014007568.tif 000004
【図３】
2014007568.tif 000005
【図４】
2014007568.tif 000006
【図５】
2014007568.tif 000007
【図６】
2014007568.tif 000008